【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
位置情報衛星から送信される衛星信号を受信する衛星信号受信装置であって、
前記衛星信号を受信する受信回路と、
屋外検出回路と、
前記受信回路および前記屋外検出回路を制御する制御回路とを備え、
前記制御回路は、前記屋外検出回路での検出結果に基づいて、前記衛星信号受信装置が屋外に配置されていると判断した場合には、前記受信回路を作動し、
前記衛星信号受信装置が屋外に配置されていないと判断した屋内配置状態が、予め設定された所定時間以上の間継続した場合には、予め設定された定時受信時刻に前記受信回路を作動する
ことを特徴とする衛星信号受信装置。
【請求項２】
請求項１に記載の衛星信号受信装置において、
前記制御回路は、前記屋内配置状態が前記所定時間以上の間継続した場合には、前記屋外検出回路の作動を停止して、前記定時受信時刻に前記受信回路を作動する
ことを特徴とする衛星信号受信装置。
【請求項３】
請求項１または請求項２に記載の衛星信号受信装置において、
前記制御回路は、前記受信回路を作動した場合には、前記屋内配置状態が前記所定時間以上の間継続しても前記定時受信時刻に前記受信回路を作動させずに、前記衛星信号受信装置が屋外に配置されていると判断した場合に前記受信回路を作動する
ことを特徴とする衛星信号受信装置。
【請求項４】
請求項１から請求項３のいずれかに記載の衛星信号受信装置において、
前記制御回路は、前記衛星信号受信装置が屋外に配置されていると判断した場合に行った前記衛星信号の受信の成功時刻を、前記定時受信時刻として設定する
ことを特徴とする衛星信号受信装置。
【請求項５】
請求項１から請求項４のいずれかに記載の衛星信号受信装置において、
前記制御回路は、強制受信が指示された場合には、前記受信回路を作動し、
前記強制受信の指示に基づいて行った前記衛星信号の受信の成功時刻を、前記定時受信時刻として設定する
ことを特徴とする衛星信号受信装置。
【請求項６】
請求項４または請求項５に記載の衛星信号受信装置において、
記憶部を備え、
前記制御回路は、前記成功時刻を前記記憶部に記憶させ、
前記成功時刻が複数存在する場合には、受信の成功回数が最も多い前記成功時刻を前記定時受信時刻として設定する
ことを特徴とする衛星信号受信装置。
【請求項７】
請求項６に記載の衛星信号受信装置において、
前記制御回路は、前記定時受信時刻に行った前記衛星信号の受信が失敗した場合には、当該定時受信時刻として設定されていた成功時刻以外の前記成功時刻のうち、前記成功回数が最も多い前記成功時刻を前記定時受信時刻として設定し、前記定時受信時刻に行った前記衛星信号の受信が成功した場合には、前記定時受信時刻を変更しない
ことを特徴とする衛星信号受信装置。
【請求項８】
請求項４から請求項７のいずれかに記載の衛星信号受信装置において、
前記制御回路は、前記成功時刻が一定時間間隔で設定された複数の時間帯のうちいずれの時間帯に含まれるかを判定して、前記成功時刻が含まれる時間帯の特定時刻を前記定時受信時刻として設定する
ことを特徴とする衛星信号受信装置。
【請求項９】
請求項１から請求項８のいずれかに記載の衛星信号受信装置において、
前記制御回路は、予め設定された制御開始時刻に前記受信回路および前記屋外検出回路の制御を開始し、
次回の前記制御開始時刻までの間に前記受信回路を作動しなかった場合には、当該次回の制御開始時刻に制御を開始し、前記受信回路を作動した場合には、当該次回の制御開始時刻から予め設定された設定時間経過後の制御開始時刻に制御を開始する
ことを特徴とする衛星信号受信装置。
【請求項１０】
請求項１から請求項９のいずれかに記載の衛星信号受信装置において、
ソーラーセルと、
前記ソーラーセルに当たる光の照度の検出処理を行う照度検出回路と、
記憶部とを備え、
前記制御回路は、所定時間間隔で前記照度検出回路を作動し、
前記照度検出回路で検出された照度および当該照度の検出時刻を前記記憶部に記憶させ、
所定期間における前記照度が最も高い前記検出時刻を前記定時受信時刻として設定する
ことを特徴とする衛星信号受信装置。
【請求項１１】
請求項１０に記載の衛星信号受信装置において、
前記制御回路は、前記照度が最も高い前記検出時刻が複数存在する場合には、当該照度が検出された回数が最も多い前記検出時刻を前記定時受信時刻として設定する
ことを特徴とする衛星信号受信装置。
【請求項１２】
請求項１から請求項９のいずれかに記載の衛星信号受信装置において、
ソーラーセルと、
前記ソーラーセルに当たる光の照度の検出処理を行う照度検出回路と、
記憶部とを備え、
前記制御回路は、所定時間間隔で前記照度検出回路を作動し、
前記照度検出回路で検出された照度が予め設定された第１閾値以上の場合には、前記照度の検出時刻を前記記憶部に記憶させ、
前記記憶部に記憶させた前記検出時刻を前記定時受信時刻として設定する
ことを特徴とする衛星信号受信装置。
【請求項１３】
請求項１２に記載の衛星信号受信装置において、
前記制御回路は、前記検出時刻が複数存在する場合には、前記照度が検出された回数が最も多い前記検出時刻を前記定時受信時刻として設定する
ことを特徴とする衛星信号受信装置。
【請求項１４】
請求項１０から請求項１３のいずれかに記載の衛星信号受信装置において、
前記制御回路は、前記検出時刻が一定時間間隔で設定された複数の時間帯のうちいずれの時間帯に含まれるかを判定して、前記検出時刻が含まれる時間帯の特定時刻を前記記憶部に記憶させる
ことを特徴とする衛星信号受信装置。
【請求項１５】
請求項１から請求項１４のいずれかに記載の衛星信号受信装置において、
ソーラーセルを備え、
前記屋外検出回路は、前記衛星信号受信装置が屋外に配置されているか否かの検出処理として、前記ソーラーセルに当たる光の照度の検出処理を行う照度検出回路であり、
前記制御回路は、前記照度検出回路で検出された照度が予め設定された第２閾値以上の場合には、前記衛星信号受信装置が屋外に配置されていると判断し、前記第２閾値未満の場合には、屋外に配置されていないと判断する
ことを特徴とする衛星信号受信装置。
【請求項１６】
位置情報衛星から送信される衛星信号を受信する衛星信号受信方法であって、
衛星信号受信装置が屋外に配置されているか否かを検出することと、
前記衛星信号受信装置が屋外に配置されていると判断した場合には、前記衛星信号を受信し、かつ、前記衛星信号受信装置が屋外に配置されていないと判断した屋内配置状態が、予め設定された所定時間以上の間継続した場合には、予め設定された定時受信時刻に前記衛星信号を受信することと、
を含むことを特徴とする衛星信号受信方法。
【請求項１７】
請求項１０から請求項１５のいずれかに記載の衛星信号受信装置と、
前記ソーラーセルで変換された電気エネルギーを蓄積する電池とを備え、
前記受信回路、前記照度検出回路および前記制御回路は、前記電池に蓄積された電気エネルギーにより駆動される
ことを特徴とする電子機器。
【請求項１８】
位置情報衛星から送信される衛星信号を受信する衛星信号受信装置であって、
前記衛星信号を受信する受信回路と、
ソーラーセルと、
前記受信回路を制御する制御回路とを備え、
前記制御回路は、前記ソーラーセルに当たる光の照度が、予め設定された閾値以上の場合には、前記受信回路を作動し、
前記ソーラーセルに当たる光の照度が、前記閾値未満の状態が、所定時間以上の間継続した場合には、予め設定された定時受信時刻に前記受信回路を作動する
ことを特徴とする衛星信号受信装置。